(57)【要約】【課題】適切な露出制御を行い、使用者にとって好ましい動画像を撮影可能な撮像装置を提供する。【解決手段】カメラ本体は、交換レンズを介して入射した光学信号から画像データを生成する撮像手段と、光学信号の光量を検知する検知手段と、交換レンズの絞りの絞り値と、絞り以外の露出に関する設定である露出条件とを設定する制御手段と、設定された絞り値を制御するための制御信号を交換レンズに送信する送信手段と、動画像撮像中に検知された光量に応じて絞り値及び露出条件を調整する第１モードと、動画像撮像中に検知された光量に応じて、露出条件を固定した状態で絞り値を調整する第２モードとを含む複数の動作モードから１つの動作モードを選択するモード設定手段とを備える。第２モードで調整する際の絞りの平均駆動速度は、第１モードで調整する際の絞りの平均駆動速度よりも遅い。【選択図】図２
2010226710.tif 000002
【特許請求の範囲】
【請求項１】
交換レンズが装着可能なカメラ本体であって、
前記交換レンズを介して入射した光学信号から画像データを生成する撮像手段と、
前記交換レンズを介して入射した光学信号の光量を検知する検知手段と、
前記交換レンズの絞りの絞り値と、前記絞り以外の露出に関する設定である露出条件とを設定する制御手段と、
前記制御手段により設定された絞り値に制御するための制御信号を前記交換レンズに送信する送信手段と、
複数の動作モードから１つの動作モードを選択するモード設定手段とを備え、
前記複数の動作モードは、動画像撮像中に前記検知手段で検知された光量に応じて前記絞りの絞り値及び前記露出条件を調整する第１モードと、動画像撮像中に前記検知手段で検知された光量に応じて、前記露出条件を固定した状態で前記絞りの絞り値を調整する第２モードとを含み、
前記第２モードで前記絞りの絞り値を調整する際の絞りの平均駆動速度は、前記第１モードで前記絞りの絞り値を調整する際の絞りの平均駆動速度よりも遅い、
カメラ本体。
【請求項２】
前記制御手段は、前記撮像手段に対する露光量が所定の目標範囲に入るように、前記検知手段で検知された光量に基づき、前記第１モードにおいて前記絞りの絞り値及び前記露出条件を調整する一方、前記第２モードにおいて前記露出条件を固定した状態で前記絞りの絞り値を調整し、
前記第２モードにおける前記目標範囲の幅は、前記第１モードにおける前記目標範囲の幅よりも大きい、請求項１記載のカメラ本体。
【請求項３】
前記露出条件は、露光時間及び／または前記撮像手段の感度である、請求項１記載のカメラ本体。
【請求項４】
前記制御手段は、前記撮像手段により生成された動画像データを所定の記録媒体に記録する場合にのみ、前記第２モードにおける前記絞りの平均駆動速度を、前記第１モードにおける前記絞りの平均駆動速度よりも遅い速度に設定する、請求項１記載のカメラ本体。
【請求項５】
絞りを有する光学系と、
前記絞りを駆動する絞り駆動手段と、
前記光学系を介して入射した光学信号から画像データを生成する撮像手段と、
前記光学系を介して入射した光学信号の光量を検知する検知手段と、
前記絞りの絞り値と、前記絞り以外の露出に関する設定である露出条件とを設定する制御手段と、
複数の動作モードから１つの動作モードを選択するモード設定手段とを備え、
前記複数の動作モードは、動画像撮像中に前記検知手段で検知された光量に応じて前記絞り及び前記露出条件を調整する第１モードと、動画像撮像中に前記検知手段で検知された光量に応じて、前記露出条件を固定した状態で前記絞りを調整する第２モードとを含み、
前記第２モードで前記絞りの絞り値を調整する際の絞りの平均駆動速度は、前記第１モードで前記絞りの絞り値を調整する際の絞りの平均駆動よりも遅い、
撮像装置。
【請求項６】
前記制御手段は、前記撮像手段に対する露光量が所定の目標範囲に入るように、前記検知手段で検知された光量に基づき、前記第１モードにおいて前記絞りの絞り値及び前記露出条件を自動調整する一方、前記第２モードにおいて前記露出条件を固定した状態で前記絞りの絞り値を調整し、
前記第２モードにおける前記目標範囲の幅は、前記第１モードにおける前記目標範囲の幅よりも大きい、請求項５記載の撮像装置。
【請求項７】
前記露出条件は、露光時間及び／または前記撮像手段の感度である、請求項５記載の撮像装置。
【請求項８】
前記制御手段は、前記撮像手段により生成された動画像データを所定の記録媒体に記録する場合にのみ、第２モードにおける前記絞りの平均駆動速度を、前記第１モードにおける絞りの平均駆動速度よりも遅い速度にする、
請求項５記載の撮像装置。
【発明の詳細な説明】
【技術分野】
【０００１】
本発明は、被写体を撮像して画像データを生成する撮像装置に関し、特に、絞りを自動調整可能な撮像装置に関する。
【背景技術】
【０００２】
特許文献１には、交換レンズが装着可能なカメラ本体が開示されている。このカメラ本体は、交換レンズに接続可能な中間アダプタが装着可能であり、中間アダプタを装着して被写体像を撮像し、画像データを順次生成する際、順次生成される画像データ間で円滑なＡＥ制御を可能にする。具体的には、カメラ本体は、中間アダプタに対して、目標の映像信号レベルと、検出映像信号レベルとを送信する。中間アダプタは、目標の映像信号レベルと検出映像信号レベルの差に応じて、交換レンズの絞りの駆動量および駆動速度を決定する。その後、中間アダプタは、交換レンズに対して、この駆動量および駆動速度を送信する。これによって、交換レンズは、この受信した駆動量および駆動速度で絞りを制御することで、画像データ間で輝度の変化の少ない円滑な露出制御を可能にしている。
【先行技術文献】
【特許文献】
【０００３】
【特許文献１】特開２００６−２１５３１０号公報
【発明の概要】
【発明が解決しようとする課題】
【０００４】
ところで、動画像撮影時に急激に露出が制御されると、撮影された動画像の輝度がフレーム間で急激に変化し、このため、撮影された動画像は使用者にとって違和感のある画像となる。
【０００５】
本発明は、適切な露出制御を行い、使用者にとって好ましい動画像を撮影可能な撮像装置を提供することを目的とする。
【課題を解決するための手段】
【０００６】
本発明の第１の態様において、交換レンズが装着可能なカメラ本体であって、交換レンズを介して入射した光学信号から画像データを生成する撮像手段と、交換レンズを介して入射した光学信号の光量を検知する検知手段と、交換レンズの絞りの絞り値と、絞り以外の露出に関する設定である露出条件とを設定する制御手段と、制御手段により設定された絞り値に制御するための制御信号を交換レンズに送信する送信手段と、複数の動作モードから１つの動作モードを選択するモード設定手段とを備えるカメラ本体が提供される。複数の動作モードは、動画像撮像中に検知手段で検知された光量に応じて絞りの絞り値及び露出条件を調整する第１モードと、動画像撮像中に検知手段で検知された光量に応じて、露出条件を固定した状態で前記絞りの絞り値を調整する第２モードとを含む。第２モードで絞りの絞り値を調整する際の絞りの平均駆動速度は、第１モードで前記絞りの絞り値を調整する際の絞りの平均駆動速度よりも遅い。
【０００７】
上記の構成により、第１モードよりも第２モードの方が絞りの駆動速度（すなわち絞り値の変化速度）を遅くすることができ、動画撮像時の露出の急激な変化を防止できる。よって、動画のフレーム間で急激な輝度の変化が生じず、使用者にとって好ましい動画像を得ることができる。
【０００８】
例えば、第１モードが、露出制御のために絞りと露光時間の両方を自動で制御し、第２モードが、露出制御のために、露光時間を固定した状態で絞りのみを自動で制御するとする。撮像素子の感度は固定されているとする。一般に、絞りの制御に関する分解能は、露光時間の制御に関する分解能に比べて低い。つまり、露光時間は、絞りよりも細かい単位で制御できる。
【０００９】
カメラ本体が第１モードに設定された場合、カメラ本体は、動画撮影時に露出制御する際、絞りに加えて露光時間を制御する。このため、カメラ本体は、絞りを開放側に制御する際、絞りを速い速度で駆動しても、露光時間を細かく調整することで、撮像素子に対する光量の変化の速度を遅くできる。すなわち、第１モードの場合、絞りを高速で駆動し、露光時間を短くすることによって、撮像素子に対する光量を徐々に変化させることが可能となる。
【００１０】
一方、第２モードに設定された場合、カメラ本体は、動画撮影時に露出制御する際、露光時間は制御せず、絞りのみを制御する。このため、露出制御の際、高速で絞りを駆動すると、露出状態が急激に変化し、好ましい動画像が得られない。そこで、本発明では、第２モードにおいて、第１モードの場合よりも絞りの駆動速度を遅くすることで、露出状態が急激な変化を防止し、好ましい動画像が得られるようにしている。
【００１１】
本発明の第２の態様において、絞りを有する光学系と、絞りを駆動する絞り駆動手段と、光学系を介して入射した光学信号から画像データを生成する撮像手段と、光学系を介して入射した光学信号の光量を検知する検知手段と、絞りの絞り値と、絞り以外の露出に関する設定である露出条件とを設定する制御手段と、複数の動作モードから１つの動作モードを選択するモード設定手段とを備える撮像装置が提供される。複数の動作モードは、動画像撮像中に検知手段で検知された光量に応じて前記絞り及び前記露出条件を調整する第１モードと、動画像撮像中に検知手段で検知された光量に応じて、露出条件を固定した状態で前記絞りを調整する第２モードとを含む。第２モードで絞りの絞り値を調整する際の絞りの平均駆動速度は、第１モードで絞りの絞り値を調整する際の絞りの平均駆動よりも遅い。
【発明の効果】
【００１２】
本発明によれば、露出制御のために絞りのみを自動調整するモードにおいて、動画撮像時の露出の急激な変化を防止できる。よって、動画のフレーム間で急激な輝度の変化が生じず、使用者にとって好ましい動画像を得ることができる。
【図面の簡単な説明】
【００１３】
【図１】本発明の実施の形態１に係るデジタルカメラ１の斜視図
【図２】本発明の実施の形態１に係るデジタルカメラ１の構成例を示す図
【図３】本発明の実施の形態１に係る動画撮影モードにおけるサブモードの設定を説明するための図
【図４】本発明の実施の形態１に係るカメラ本体の動作例を説明するためのフローチャート
【図５】本発明の実施の形態１に係る交換レンズの動作例を説明するためのフローチャート
【図６Ａ】絞りの駆動速度を説明するための図（駆動回数の調整による制御）
【図６Ｂ】絞りの駆動速度を説明するための図（駆動速度調整による制御）
【図７】本発明の実施の形態１の動画Ｐモードの露出制御動作を示すフローチャート
【図８】本発明の実施の形態１の動画Ａモードの露出制御動作を示すフローチャート
【図９】本発明の実施の形態１の動画Ｓモードの露出制御動作を示すフローチャート
【図１０】本発明の実施の形態１の動画Ｍモードの露出制御動作を示すフローチャート
【発明を実施するための形態】
【００１４】
実施の形態１
以下、本発明の一実施形態について図面を参照して説明する。本実施の形態は、デジタルカメラ１に適用した例を説明する。なお、以下の説明において、「撮像」とは、撮像素子による光学信号から画像データを生成する動作を意味し、「撮影」とは、撮像素子により生成された画像データに所定の画像処理を行った後、所定の記録媒体に記録する一連の動作を意味する。
【００１５】
１．構成
１−１．全体構成の概要
図１は、本実施の形態に係るデジタルカメラの斜視図である。図２は、本実施の形態に係るデジタルカメラの構成図である。
【００１６】
本実施の形態のデジタルカメラ１は、カメラ本体２と、カメラ本体２に着脱可能な交換レンズ３とを備える。
【００１７】
カメラ本体２は、ＣＭＯＳセンサ２０１、シャッタ２０２、信号処理プロセッサ２０３（ＤＳＰ）、バッファメモリ２０４、液晶モニタ２０５、電子ビューファインダー２０６（ＥＶＦ）、電源２０７、ボディマウント２０８、フラッシュメモリ２０９、カードスロット２１０、ＣＰＵ２１１、シャッタスイッチ２１２、ストロボ２１３、マイク２１４、スピーカー２１５及びモードダイヤル２１６を備える。
【００１８】
交換レンズ３は、レンズマウント３０１、ズームレンズ３０３やフォーカスレンズ３０４を含むレンズ系、ズームレンズ３０３を駆動させるズーム駆動部３０５、フォーカスレンズ３０４を駆動させるフォーカス駆動部３０６、絞り３０７、絞り３０７を駆動させる絞り駆動部３０８、ズームリング３０９、フォーカスリング３１０、レンズコントローラ３１１及びフラッシュメモリ３１２を備える。以下、構成を具体的に説明する。
【００１９】
１−２．カメラ本体の構成
カメラ本体２は、交換レンズ３のレンズ系によって集光された被写体像を撮像して、画像データとして記録できるように構成されている。
【００２０】
ＣＭＯＳセンサ２０１は、受光素子と、ＡＧＣ（ゲイン・コントロール・アンプ）と、ＡＤコンバータとを含んで構成される。受光素子は、レンズ系によって集光された光学的信号を電気信号に変換し、画像データを生成する。ＡＧＣは、受光素子から出力された電気信号を増幅する。ＡＤコンバータは、ＡＧＣから出力された電気信号をデジタル信号に変換する。なお、ＣＭＯＳセンサ２０１は、ＣＰＵ２１１から受信した制御信号に従って、露光、転送、電子シャッタなどの各種の動作を行う。この各種動作は、タイミングジェネレータ等で実現可能である。電子シャッタは、受光素子における１フレーム当たりの受光時間（撮像時間）を調整する。
【００２１】
メカシャッタ２０２は、レンズ系を介して入射された、ＣＭＯＳセンサ２０１に対する光学的信号の遮断又は通過を切り替える。メカシャッタ２０２は、メカシャッタ２０２の駆動部によって駆動される。メカシャッタ２０２の駆動部は、モータ、バネ等の機構部品で実現され、ＣＰＵ２１１の制御に基づきメカシャッタ２０２を駆動する。要するに、メカシャッタ２０２は開けたり閉じたりして、ＣＭＯＳセンサ２０１に当たる光の量を時間的に調整する。
【００２２】
信号処理プロセッサ２０３（ＤＳＰ）は、ＡＤコンバータによってデジタル信号に変換された画像データに、所定の画像処理を施す。所定の画像処理としては、ガンマ変換、ＹＣ変換、電子ズーム処理、圧縮処理、伸張処理等が考えられるが、これに限られるものではない。
【００２３】
バッファメモリ２０４は、信号処理プロセッサ２０３で処理を行う際、および、ＣＰＵ２１１で制御処理を行う際に、ワークメモリとして機能する。バッファメモリ２０４は、例えば、ＤＲＡＭなどで実現可能である。
【００２４】
液晶モニタ２０５は、カメラ本体２の背面に配置され、ＣＭＯＳセンサ２０１で生成された画像データまたはその画像データに所定の処理が施された画像データを表示可能である。ここで液晶モニタ２０５に入力される画像信号は、信号処理プロセッサ２０３から液晶モニタ２０５に出力される際、ＤＡコンバータによってデジタル信号からアナログ信号に変換される。
【００２５】
電子ビューファインダー２０６は、カメラ本体２に配置され、ＣＭＯＳセンサ２０１で生成された画像データまたはその画像データに所定の処理が施された画像データを表示可能である。電子ビューファインダー２０６に入力される画像信号も同様に、信号処理プロセッサ２０３から電子ビューファインダー２０６に出力される際、ＤＡコンバータによってデジタル信号からアナログ信号に変換される。
【００２６】
ここで液晶モニタ２０５と電子ビューファインダー２０６の表示は、表示切替手段２１７によって切り替えられる。すなわち、液晶モニタ２０５に画像が表示されている間は、電子ビューファインダー２０６には何も表示されない。また、電子ビューファインダー２０６に画像が表示されている間は、液晶モニタ２０５には何も表示されない。表示切替手段２１７は、例えば、切り替えスイッチなどの物理的な構造で実現することができる。例えば、信号処理プロセッサ２０３と液晶モニタ２０５が電気的に接続されている場合、切り替えスイッチが切り替えられることによって、信号処理プロセッサ２０３と液晶モニタ２０５間の電気的接続が切断され、信号処理プロセッサ２０３と電子ビューファインダー２０６とが電気的に接続される。なお、上記の方法に限られず、表示切替手段２１７は、ＣＰＵ２１１などからの制御信号に基づいて、液晶モニタ２０５と電子ビューファインダー２０６の表示の切り替えを行なってもよい。
【００２７】
以上のように、液晶モニタへの表示と、電気ビューファインダーへの表示とを切り替えるようにしている。但し、これは、構成上の制限からくる問題であるため、液晶モニタへの表示と、電子ビューファインダーへの表示を同時に行なうようにしてもかまわない。ここで、同時に表示する場合、液晶モニタに表示する画像と、電子ビューファンダーへ表示する画像は、同じ画像であっても、違う画像であってもかまわない。
【００２８】
電源２０７は、デジタルカメラ１で消費するための電力を供給する。電源２０７は、例えば乾電池であってもよいし、充電池であってもよい。また、電源コードにより外部から供給される電力をデジタルカメラ１に供給するものであってもよい。
【００２９】
ボディマウント２０８は、交換レンズ３のレンズマウント３０１と相俟って、交換レンズ３の着脱を可能にする部材である。ボディマウント２０８は、交換レンズ３と接続端子等を用い電気的に接続可能であるとともに、係止部材等のメカニカルな部材によって機械的にも接続可能である。ボディマウント２０８は、交換レンズ３に含まれるレンズコントローラ３１１からの信号をＣＰＵ２１１へ出力できるとともに、ＣＰＵ２１１からの信号を交換レンズ３のレンズコントローラ３１１に出力できる。すなわち、ＣＰＵ２１１は、交換レンズ３側のレンズコントローラ３１１と制御信号やレンズ系に関する情報などを送受信可能である。
【００３０】
フラッシュメモリ２０９は、内蔵メモリとして用いられる記憶媒体である。フラッシュメモリ２０９は、画像データまたはその画像データに所定の処理が施された画像データを記憶可能である。また、デジタル化された音声信号も記憶可能である。加えて、画像データや音声信号の他にＣＰＵ２１１の制御のためのプログラムや設定値などを記憶可能である。
【００３１】
ここで本実施の形態のフラッシュメモリ２０９は、カメラ本体２に装着された交換レンズの種別を判断するための種別ＩＤのリストを格納している。このリストは、動画対応の交換レンズに対する種別ＩＤを含む。カメラ本体２は、交換レンズ３から取得した種別ＩＤを参照することで、装着された交換レンズが動画対応レンズであるか否かを判別することができる。
【００３２】
カードスロット２１０は、記憶媒体であるメモリカード２１８を着脱するためのスロットである。メモリカード２１８は、画像データもしくはその画像データに所定の処理が施された画像データまたはデジタル化された音声信号も記憶可能である。
【００３３】
ＣＰＵ２１１はカメラ本体２の動作を制御する。ＣＰＵ２１１は、マイクロコンピュータで実現してもよく、ハードワイヤードな回路で実現してもよい。すなわち、ＣＰＵ２１１は、各種の制御を実行する。また、ＣＰＵ２１１は、レンズコントローラ３１１との間で制御信号のやり取りを行なうことも可能である。例えば、ＣＰＵ２１１は、レンズコントローラ３１１に対して、絞りを制御するための制御信号（例えば、Ｆ値又はＡＶ値）、及び、絞りの駆動速度（絞り値の変化速度）を示す制御信号を送信可能である。
【００３４】
シャッタスイッチ２１２は、カメラ本体２の上面に設けられた釦であり、使用者からの半押しおよび全押し操作を検知する操作手段である。シャッタスイッチ２１２は、使用者から半押し操作を受け付けると、半押し信号をＣＰＵ２１１に出力する。一方、シャッタスイッチ２１２は、使用者から全押し操作を受け付けると、全押し信号をＣＰＵ２１１に出力する。これらの信号に基づいて、ＣＰＵ２１１は様々な制御を行なう。
【００３５】
モードダイヤル２１６は、使用者の操作に応じて、複数のモードから一つのモードを選択する。複数のモードは、動画撮影モード、静止画撮影モード及び再生モードを含む。モードダイヤル２１６は、使用者の操作に応じて、一つのモードが選択されると、選択されたモードに対応する情報をＣＰＵ２１１に送信する。ＣＰＵ２１１は、受信した情報に基づき、カメラ本体２の各部を制御する。ＣＰＵ２１１は、交換レンズ３にも制御信号を送信して、レンズコントローラ３１１に交換レンズ３の各部を制御させる。また、カメラ本体２の外装には使用者が動画の撮影を指示するための動画撮影ボタン２１９が設けられている。
【００３６】
以下、動画撮影モードについて説明する。動画撮影モードは複数のサブモードを有する。複数のサブモードには、「動画Ｐモード」、「動画Ａモード」、「動画Ｓモード」及び「動画Ｍモード」がある。使用者は、モードの設定を、ＣＰＵ２１１によって液晶モニタ２０５に表示された選択画面を用いて設定することが可能である。図３に、液晶モニタ２０５に表示されるサブモードの選択画面の一例を示す。以下、各サブモードについて説明する。
【００３７】
「動画Ｐモード」：動画撮影中に露出制御をするため、絞り値、露光時間、及び、感度（ＡＧＣの感度）が自動調整されるモードである。
「動画Ａモード」：動画撮影中に露出制御をするため、絞り値を固定した状態で、露光時間、及び、感度が自動調整されるモードである。
「動画Ｓモード」：動画撮影中に露出制御をするため、露光時間を固定した状態で、絞り値、及び、感度が自動調整されるモードである。自動調整とは、ＣＰＵ２１１により各部が自動的に調整されることを意味する。
「動画Ｍモード」：動画撮影中に露出制御をするため、絞り値、露光時間、及び、感度が、使用者の指示（操作）に応じて（手動により）調整されるモードである。
なお、上記各モードにおける感度は、使用者設定で自動調整するか、固定するかを選択可能である。
【００３８】
１−３．交換レンズの構成
レンズ系は、ズームレンズ３０３とフォーカスレンズ３０４と対物レンズ３０２を含んで構成され、被写体からの光を集光する。ズームレンズ３０３は、ズーム駆動部３０５又はズームリング３０９によって駆動され、ズーム倍率を調整するものである。フォーカスレンズ３０４は、フォーカス駆動部３０６又はフォーカスリング３１０によって駆動され、ピントの調節を行なう。フォーカスレンズ３０４やズームレンズ３０３は可動レンズである。
【００３９】
ズーム駆動部３０５は、レンズコントローラ３１１の制御にしたがってズームレンズ３０３を駆動する。フォーカス駆動部３０６は、レンズコントローラ３１１の制御にしたがって、フォーカスレンズ３０４を駆動する。
【００４０】
絞り３０７は、レンズ系を通過する光の量を調整する。例えば、光の調整は、５枚羽根などで構成される開口径を大きくしたり、小さくしたりすることで可能である。
【００４１】
絞り駆動部３０８は、絞り３０７の開口径の大きさを変更するものである。また、絞り駆動部３０８は、レンズコントローラ３１１からの制御信号に含まれる駆動速度に応じて、絞り３０７を制御可能である。
【００４２】
実施の形態１において、絞り駆動部３０８は、レンズコントローラ３１１の制御に基づいて、絞り３０７の開口径の大きさを変更する。ここで開口径の大きさは、絞り値（Ｆ値）および絞り値テーブルに基づいて指定可能である。本実施の形態では、絞り駆動部３０８は、レンズコントローラ３１１からの制御に基づいて絞り３０７を駆動するようにしている。しかし、この駆動方法に限らず、機械的な方法によって絞り３０７を駆動させてもよい。この場合、ボディマウント２０８に連動ピンを設け、この連動ピンの駆動を絞り駆動部３０８が受けて、絞り３０７を駆動させることで可能となる。連動ピンは、ＣＰＵ２１１により制御されたモータなどで駆動される。
【００４３】
ズームリング３０９は、交換レンズ３の外装に設けられ、使用者からの操作に応じて、ズームレンズ３０３を駆動させるものである。また、フォーカスリング３１０は、交換レンズ３の外装に設けられ、使用者からの操作に応じて、フォーカスレンズ３０４を駆動させるものである。
【００４４】
レンズコントローラ３１１は、交換レンズ３全体を制御する。レンズコントローラ３１１は、マイクロコンピュータで実現してもよく、ハードワイヤードな回路で実現してもよい。すなわち、レンズコントローラ３１１は、各種の制御を実行する。
【００４５】
例えば、レンズコントローラ３１１は、絞りの制御信号（絞り値及び駆動速度）を取得した場合、絞り値及び駆動速度に基づいて、絞り駆動部３０８を制御する。絞り駆動部３０８は、この制御によって絞り３０７を駆動する。
【００４６】
フラッシュメモリ３１２は内蔵メモリとして用いられる記憶媒体である。フラッシュメモリ３１２には、交換レンズ３の種別を示す種別ＩＤが格納されている。この種別ＩＤは、レンズコントローラ３１１によってカメラ本体２のＣＰＵ２１１に送信される。
【００４７】
フラッシュメモリ３１２は、絞りの駆動速度に関して、駆動可能な範囲の最大速度と最低速度の情報を格納している。この駆動速度の最大値と最小値についても、レンズコントローラ３１１によってＣＰＵ２１１に送信可能である。
【００４８】
レンズコントローラ３１１は、交換レンズ３がカメラ本体２に装着されたことを検知すると、ＣＰＵ２１１に絞りの駆動速度の情報を送信する。また、交換レンズ３がカメラ本体２に装着されると、カメラ本体２からレンズコントローラ３１１に電力が供給される。このため、レンズコントローラ３１１は、電力が供給されたことを検知して、絞りの駆動速度の情報を送信できる。
【００４９】
２．動作
デジタルカメラ１の動作の一例を説明する。以下、カメラ本体２に交換レンズ３が装着されていない状態から、交換レンズ３が装着されたときの、カメラ本体２の動作説明を行なう。なお、以下では、感度は自動調整可能な場合を説明するが、感度は固定でもよい。
【００５０】
２−１．レンズ装着時の動作
図４を参照し、カメラ本体２に交換レンズ３が装着されたときのカメラ本体２（ＣＰＵ２１１）の動作を説明する。レンズコントローラ３１１は、交換レンズ３がカメラ本体２に装着されたことを検知すると、駆動速度の情報をＣＰＵ２１１に送信する。ＣＰＵ２１１は、カメラ本体２に交換レンズ３が装着されると、レンズコントローラ３１１から駆動速度（最大値及び最小値）を取得したか否かを判別する（Ａ１）。ＣＰＵ２１１は、駆動速度の情報を取得すると、フラッシュメモリ２０９に格納する（Ａ２）。
【００５１】
２−２．動画撮影時の露出制御
動画撮影時の露出制御動作を説明する。カメラ本体２が動画モードに設定された状態で、動画撮影ボタン２１９が押下されると、カメラ本体２のＣＰＵ２１１は動画撮影を開始する。そして、ＣＰＵ２１１は、動画撮影が開始された後、動画撮影ボタン２１９が再度押下されると、動画撮影を終了する。以下、この動作を、図５を参照して具体的に説明する。
【００５２】
動画撮影ボタン２１９が押下されると、ＣＰＵ２１１は、現在の動画モードのサブモードが「動画Ｐモード」又は「動画Ａモード」に該当するか否かを判別する（Ｂ１）。サブモードが「動画Ｐモード」又は「動画Ａモード」である場合、ＣＰＵ２１１は絞りの駆動速度をＹ２に設定する（Ｂ２）。この駆動速度Ｙ２はバッファメモリ２０４に格納される。駆動速度Ｙ２は、特に限定されないが、後述する駆動速度Ｙ１よりも速い速度に設定する。なお、本実施の形態では、ＣＰＵ２１１は、レンズコントローラ３１１から取得した絞りの駆動速度の最大値および最小値を記憶しており、駆動速度Ｙ２は駆動速度の最小値から最大値の間の値であればよい。
【００５３】
ここで、図６Ａ、図６Ｂを参照して、絞りの駆動について説明する。本実施形態において絞りの駆動速度とは、絞りの駆動開始から絞りの目標値に達するまでの平均の駆動速度である。より遅い駆動速度Ｙ１で絞りを駆動した場合、より速い駆動速度Ｙ２で絞りを駆動した場合よりも、絞りの駆動開始から絞りの目標値に達するまでの時間がかかる。このため、絞りがより緩やかに変化するため、画質の急激な変化を防止できる。
【００５４】
絞りの駆動速度の調整は、例えば、以下の方法が考えられる。
「１」目標の絞り値まで変化させる際の絞り駆動の制御回数を調整する（図６Ａ参照）。
「２」目標の絞り値まで変化させる際の駆動速度自体を調整する（図６Ｂ参照）。
【００５５】
上記「１」の場合、１回の制御に要する時間は同じであるため、制御回数を変更することで絞りの駆動速度を調整できる。例えば、より速い駆動速度Ｙ２での制御の場合は、図６Ａ（ａ）に示すように、１回の制御により絞りを目標の絞り値に達するよう制御する。これに対して、より遅い駆動速度Ｙ１での制御の場合は、図６Ａ（ｂ）に示すように、５回の制御により絞りを目標の絞り値に達するよう制御している。このように制御回数を増やして目標の絞り値まで変化させる時間がよりかかるようにすることで、より遅い駆動速度Ｙ１を実現できる。つまり、カメラ本体２は、交換レンズ３に対して、駆動速度Ｙ２の場合、目標絞り値に対して１回の制御信号により絞りを駆動する一方、駆動速度Ｙ１の場合、目標絞り値に対して５回の制御信号により絞りを駆動する。このようにすれば、図６Ａのように、絞りが目標値に達するまでの、絞りの平均駆動速度を制御できるようになる。
【００５６】
上記「２」の場合、異なる駆動速度は次のようにして実現する。カメラ本体２は、交換レンズ３に対して、Ｙ１またはＹ２のいずれかに設定された駆動速度を指定する。これによって、図６Ｂのように、絞りの駆動速度を制御する。上記「１」、「２」のいずれの方法の場合も、駆動速度Ｙ１で駆動した場合よりも駆動速度Ｙ２で駆動した場合の方が結果として絞りを目標値に早く到達させることができる。
【００５７】
なお、カメラ本体２は露出制御の目標範囲（適正露出の範囲）を有している。ＣＰＵ２１１は、ＣＭＯＳセンサ２０１で得られた画像データの輝度を検知する。ＣＰＵ２１１は動画モードに応じて、その検知した輝度に基づき、ＣＭＯＳセンサ２０１に対する露出が適正露出となるように、すなわち、露出制御の目標範囲内に収まるように、絞り、露光時間、感度等を自動制御する。ここで、「動画Ｓモード」における露出の目標範囲の幅を、「動画Ｐモード」や「動画Ａモード」における露出の目標範囲の幅よりも広くしてもよい。これにより、「動画Ｓモード」において絞りを速やかに適正値に制御することが可能となる。つまり、目標露出付近でのハンチングを軽減する。ハンチングとは、例えば、デジタルカメラ１が絞りを自動調整する際、目標範囲に露出を収めることができず、露出状態が目標露出の前後（明るい側と暗い側）を行き来することをいう。
【００５８】
図５に戻り、次に、ＣＰＵ２１１は、サブモードが「動画Ｐモード」であるか否かを判別する（Ｂ３）。「動画Ｐモード」である場合、ＣＰＵ２１１は「動画Ｐモードの動作」に移行する（Ｂ４）。一方、「動画Ｐモード」でない場合すなわち「動画Ａモード」である場合、ＣＰＵ２１１は「動画Ａモードの動作」に移行する（Ｂ５）。「動画Ｐモードの動作」及び「動画Ａモードの動作」の詳細は後述する。
【００５９】
一方、ステップＢ１において、サブモードが「動画Ｐモード」又は「動画Ａモード」でない場合、ＣＰＵ２１１は、絞りの駆動速度をＹ１に設定する（Ｂ６）。ここで、駆動速度Ｙ１は駆動速度Ｙ２よりも小さい値である。駆動速度Ｙ１はバッファメモリ２０４に格納される。
【００６０】
続いて、ＣＰＵ２１１は、サブモードが「動画Ｓモード」であるか否かを判別する（Ｂ７）。「動画Ｓモード」である場合、ＣＰＵ２１１は「動画Ｓモードの動作」に移行する（Ｂ８）。一方、「動画Ｓモード」でない場合すなわち「動画Ｍモード」の場合、ＣＰＵ２１１は「動画Ｍモードの動作」に移行する（Ｂ９）。「動画Ｓモードの動作」及び「動画Ｍモードの動作」の詳細は後述する。
【００６１】
以上のように、「動画Ｓモード」や「動画Ｍモード」のように、露出制御のため、絞りを単体で制御する可能性があるモードについては、絞りの駆動速度（Ｙ１）を、他のモード（「動画Ｐモード」や「動画Ａモード」）の駆動速度（Ｙ２）よりも遅くなるようにした。これによって、絞りを単体で動かすことによる、露出状態の変化を滑らかにして対応することができる。一方で、「動画Ｐモード」のように、絞りを調整した際、絞り以外のパラメータで露出状態を徐々に変化させることができるので、「動画Ｓモード」等よりも絞りの駆動速度を高速にできる。これによって、本実施の形態によれば、「動画Ｐモード」の場合、目標となる露出状態（明るさ）に短時間で制御できる。
【００６２】
２−３．各動画モードの露出制御動作
以下、各動画モードの露出制御動作について説明する。
【００６３】
２−３−１．動画Ｐモードの露出制御動作
図７を参照して「動画Ｐモード」における露出制御動作を説明する。
まず、ＣＰＵ２１１は、カメラ本体２に装着された交換レンズ３が動画対応レンズか否かを判別する（Ｃ１）。例えば、ＣＰＵ２１１は、フラッシュメモリ２０９に記憶された、レンズコントローラ３１１から取得した種別ＩＤと、フラッシュメモリ２０９に格納されている種別ＩＤとを比較し、一致する場合、動画対応レンズであると判断する。
【００６４】
ＣＰＵ２１１は、動画対応レンズであると判断した場合、露出状態が所定値（例えば、１ＥＶ）以上変化したか否かを判別する（Ｃ２）。前述のようにＣＰＵ２１１は、ＣＭＯＳセンサ２０１で得られる画像データの輝度を監視しており、監視した画像データの輝度が、前回の露出制御を行なった時点の画像データの輝度から所定値以上変化したか否かを判別している。ここで画像データの輝度は、例えば、画像全体の輝度の平均をとってもよいし、画像の一部の平均をとってもよい。また、画像を複数の領域に分割し、各領域に重み付けをした状態で、重み付けした各領域の輝度の平均値をとってもよい。これらの方法は、一般的に用いられている測光の方法であるため、詳しい説明は省略する。
【００６５】
ステップＣ２において露出状態が所定値以上変化した場合、ＣＰＵ２１１は、適正露出になるように（すなわち、露出がその目標範囲に収まるように）、絞り、露光時間及び／又は感度を制御する（Ｃ３）。ＣＰＵ２１１は、絞りを制御する場合、絞りの駆動速度としてバッファメモリ２０４から読み出した値「Ｙ２」をレンズコントローラ３１１に送信する。ここで、ＣＰＵ２１１は、絞りを制御する場合、同時に露光時間を制御するとよい。例えば、絞りを開放側に稼動した場合、露光時間を短くして、露出状態が動画像のフレーム単位で徐々に変化するようにするとよい。このようにすれば、絞りの分解能が低いことによる、露出状態の変化が大きくなってしまうことを軽減できる。
【００６６】
一方、ステップＣ１において動画対応レンズでないと判断された場合、ＣＰＵ２１１は、ステップＣ２と同様に、露出状態が所定値以上変化したか否かを判別する（Ｃ４）。
【００６７】
ステップＣ４において露出状態が所定値以上変化した場合、ＣＰＵ２１１は、適正露出になるように、絞りよりも、露光時間及び／又は感度を優先して制御する（Ｃ５）。例えば、ＣＰＵ２１１は絞りを動かさないようにする。又は、ＣＰＵ２１１は、プログラム線図において、絞りの動作ポイントが減るように制御する。このようにすれば、動画非対応の交換レンズがカメラ本体に装着された場合において、絞りを制御したことにより映像として好ましくない動画像が生成されることを防止できる。
【００６８】
２−３−２．動画Ａモードの露出制御動作
図８を参照して「動画Ａモード」における露出制御動作を説明する。
ＣＰＵ２１１は、ステップＣ２と同様に、露出状態が所定値（例えば、１ＥＶ）以上変化したか否かを判別する（Ｄ１）。
【００６９】
ステップＤ１において露出状態が所定値以上変化した場合、ＣＰＵ２１１は、適正露出になるように、露光時間及び／又は感度を制御する（Ｄ２）。
【００７０】
この制御により、「動画Ａモード」では、動画撮影時において、絞りを固定した状態で露光時間を自動制御できるため、被写界深度を固定した状態で露出状態を保つことができる。
【００７１】
２−３−３．動画Ｓモードの露出制御動作
図９を参照して「動画Ｓモード」における露出制御動作を説明する。
ＣＰＵ２１１は、露出状態が所定値（例えば、１ＥＶ）以上変化したか否かを判別する（Ｅ１）。
【００７２】
ステップＥ１において露出状態が所定値以上変化した場合、ＣＰＵ２１１は、適正露出になるように、絞り及び／又は感度を制御する（Ｅ２）。ＣＰＵ２１１は、絞りを制御する場合、絞りの駆動速度としてバッファメモリ２０４から読み出した値「Ｙ１」をレンズコントローラ３１１に送信する。
【００７３】
これにより、「動画Ｓモード」では動画撮影時において、露光時間を固定した状態で、絞りを自動制御できる。
【００７４】
２−３−４．動画Ｍモードの露出制御動作
動画Ｍモードにおいて、ＣＰＵ２１１は、使用者が設定した絞り、露光時間又は感度に応じて、各パラメータを制御する。ここでＣＰＵ２１１は、絞りを制御する場合、絞りの駆動速度としてバッファメモリ２０４から読み出した値「Ｙ１」をレンズコントローラ３１１に送信する。
【００７５】
ＣＰＵ２１１は、絞りを制御する場合、図１０に示すような制御を行ってもよい。まず、ＣＰＵ２１１は、ステップＣ１と同様に、カメラ本体２に装着された交換レンズ３が動画対応レンズか否かを判断する（Ｆ１）。
【００７６】
ＣＰＵ２１１は、カメラ本体２に装着された交換レンズ３が動画対応レンズであると判断した場合、使用者操作による絞り値の変更を検知する（Ｆ２）。例えば、ＣＰＵ２１１は、外装に設けられた操作部材が操作されると、絞り値の変更を検知できる。
【００７７】
ＣＰＵ２１１は、ステップＦ２において絞り値の変更を検知した場合、絞りを制御する（Ｆ３）。なお、ＣＰＵ２１１は、絞りを制御する場合、絞りの駆動速度としてバッファメモリ２０４から読み出した値「Ｙ１」をレンズコントローラ３１１に送信する。
【００７８】
一方、ＣＰＵ２１１は、ステップＦ１において、カメラ本体２に装着された交換レンズ３が動画対応レンズでないと判断された場合、ＣＰＵ２１１は、ステップＦ２と同様に、使用者操作による絞り値の変更を検知する（Ｆ４）。
【００７９】
ステップＦ４において絞り値の変更を検知した場合、ＣＰＵ２１１は、使用者操作により設定された絞り値にしたがい絞りを制御すると共に、警告画面を表示させる（Ｆ５）。警告画面には、例えば、絞り値を変更することによって、動画像が乱れるなど、動画像に悪影響があることを知らせる報知画像が考えられる。このようにすれば、使用者は、交換レンズが動画非対応であることによって映像が乱れる可能性があることを認識することができる。なお、ＣＰＵ２１１は、絞りを制御する場合、絞りの駆動速度としてバッファメモリ２０４から読み出した値「Ｙ１」をレンズコントローラ３１１に送信する。
【００８０】
３．用語の対応
ＣＭＯＳセンサ２０１は撮像手段の一例である。ＣＰＵ２１１は、検知手段、送信手段、設定手段、制御手段の一例である。動画Ｐモードは、第１のモードの一例である。動画Ｓモードは第２モードの一例である。ＣＰＵ２１１により液晶モニタ２０５に表示された選択画面はモード設定手段の一例である。
【００８１】
４．まとめ
本実施の形態において、交換レンズ３が装着可能なカメラ本体２は、交換レンズ３を介して入射した光を撮像し、画像データを生成するＣＭＯＳセンサ２０１と、交換レンズ２を介して入射した光の光量を検知するＣＰＵ２１１を備える。ＣＰＵ２１１は、交換レンズ３の絞り３０７の絞り値及び絞りの駆動速度と、絞り３０７以外の露出に関する設定である露出条件とを設定し、設定された絞り値及び絞りの駆動速度を制御するための制御信号を交換レンズに送信する。また、ＣＰＵ２１１により液晶モニタ２０５に表示された選択画面は、複数の動作モードから１つの動作モードを選択する。複数の動作モードは、動画像撮像中にＣＰＵ２１１で検知された光量に応じて絞り３０７及び露出条件を自動調整する第１モードと、動画像撮像中にＣＰＵ２１１で検知された光量に応じて、露出条件を固定した状態で絞り３０７を自動調整する第２モードとを含む。第２モードで自動調整する際の絞り３０７の駆動速度は、第１モードで自動調整する際の絞りの駆動速度よりも遅い。
【００８２】
この構成により、カメラ本体２は、露光の急激な変化を防止し、適正な露出制御が可能となり、使用者にとって好ましい動画像を撮影できる。なお、絞りの駆動速度を遅くすると、絞りが駆動されることにより変化する光量の変化速度が遅くなる。一方で、絞りの駆動速度を速くすると、絞りが駆動されることにより変化する光量の変化速度が速くなる。このため、カメラ本体２は、露光の急激な変化を防止できる。
【００８３】
上記の例では、レンズ交換が可能なカメラ本体を備えた撮像装置について説明したが、コンパクトカメラのようなレンズとボディが一体となった撮像装置に対しても本実施形態の思想を適用することは可能である。
【００８４】
５．他の実施の形態
本発明の実施の形態として、実施の形態１を例示した。しかし、本発明はこれには限らない。すなわち、本発明は、上記実施の形態１に限られず、適宜修正された実施の形態に対しても適用可能である。
【００８５】
実施の形態１では、動画像撮影（撮像＋記録）時において、「動画Ｓモード」の絞りの駆動速度を、「動画Ｐモード」の絞りの駆動速度よりも遅くなるように制御した。すなわち、スルー画像が表示された状態で動画が記録されていないときは、上記制御を行っていない。動画撮影時にのみ上記制御を行うようにすれば、動画像撮影前において絞りの駆動速度を常時速い速度に固定でき、高速な絞り制御が実現できるので、動画像撮影開始前の適正露出に変化するまでの時間を短くできる。そのため、動画像撮影開始時において、露出をより適切に制御できるようになる。しかし、動画像撮影（撮像＋記録）時のみならず、動画像撮像時全般において上記制御をするようにしてもかまわない。つまり、デジタルカメラ１がスルー画像（ＣＭＯＳセンサで撮像した画像データ）を液晶モニタに表示した状態で動画が記録されていない場合においても上記制御をするようにしてもかまわない。
【００８６】
本実施の形態１では、露出状態が所定値（例えば、１ＥＶ）以上変化した場合に露出制御を行なうようにした。しかし、これに限られず、動画モードに応じた値（１／３ＥＶ〜２／３ＥＶ）以上に露出状態が変化した場合に露出制御を行なうようにしてもよい。
【産業上の利用可能性】
【００８７】
本発明は、露光を自動調整可能な撮像装置に適用可能である。例えば、交換レンズを装着可能なデジタルスチルカメラ、コンパクトカメラ、ムービ等に適用できる。
【符号の説明】
【００８８】
１  デジタルカメラ
２  カメラ本体
３  交換レンズ
２０１  ＣＭＯＳセンサ
２０２  シャッタ
２０３  信号処理プロセッサ
２０４  バッファメモリ
２０７  電源
２０９  フラッシュメモリ
２１１  ＣＰＵ
２１２  シャッタスイッチ
３０３  ズームレンズ
３０４  フォーカスレンズ
３０５  ズーム駆動部
３０６  フォーカス駆動部
３０７  絞り
３０８  絞り駆動部
３１１  レンズコントローラ
３１２  フラッシュメモリ
【図１】
2010226710.tif 000003
【図２】
2010226710.tif 000004
【図３】
2010226710.tif 000005
【図４】
2010226710.tif 000006
【図５】
2010226710.tif 000007
【図６Ａ】
2010226710.tif 000008
【図６Ｂ】
2010226710.tif 000009
【図７】
2010226710.tif 000010
【図８】
2010226710.tif 000011
【図９】
2010226710.tif 000012
【図１０】
2010226710.tif 000013